(57)【要約】【課題】電子部品の静電破壊を防止し、かつ効果的に放熱を行うことができる表示装置を提供する。【解決手段】前側に表示面１１ａを有する表示部１と、該表示部１の後側に配された発熱性の電子部品３３ａ，３３ｂと、電子部品３３ａ，３３ｂを電磁遮蔽する遮蔽体３４と、表示部１の後側を被覆するキャビネット２とを備え、遮蔽体３４及びキャビネット２は電子部品３３ａ，３３ｂの一部が露出するように後部に形成された複数の放熱孔２３，２４を後側に有する表示装置において、遮蔽体３４に形成された隣り合う遮蔽体放熱孔（３４ｃ，３４ｄ，３４ｅ）間の境部（３４ｆ、３４ｇ）が、電子部品３３ａ，３３ｂとキャビネット２の放熱孔２３，２４との間に位置するように構成する。【選択図】図１
2009008862.tif 000002
【特許請求の範囲】
【請求項１】
前側に表示面を有する表示部と、該表示部の後側に配された電子部品と、該電子部品を電磁遮蔽する遮蔽体と、前記表示部の後側を被覆するキャビネットとを備え、前記遮蔽体及び前記キャビネットは前記電子部品の一部が露出するように形成された複数の放熱孔を有する表示装置において、
前記遮蔽体は、
該遮蔽体に形成された隣り合う放熱孔間の境部が、前記キャビネットの放熱孔と前記電子部品との間に位置するように構成されている
ことを特徴とする表示装置。
【請求項２】
前記境部は、背面視で前記キャビネットの放熱孔の中央部に位置している
ことを特徴とする請求項１に記載の表示装置。
【請求項３】
前記キャビネットに形成された複数の放熱孔は並設されており、
前記境部は線状をなし、背面視で各放熱孔の中央部に位置している
ことを特徴とする請求項１に記載の表示装置。
【請求項４】
前記キャビネットに形成された放熱孔と、前記境部との距離は２ｃｍ以内である
ことを特徴とする請求項１乃至請求項３のいずれか一つに記載の表示装置。
【発明の詳細な説明】
【技術分野】
【０００１】
本発明は、表示部の後側に配された電子部品と、該電子部品を電磁遮蔽する遮蔽体と、前記表示部の後側を被覆するキャビネットとを備えた表示装置に関する。
【背景技術】
【０００２】
表示装置、例えば液晶テレビは、画像を表示する略矩形の表示面を前側に有する表示部と、該表示部の後側に配された基板モジュールと、基板モジュールで発生した熱を外部へ放出するための放熱孔を適宜箇所に有し、表示部の後側を被覆するキャビネットとを備える。
【０００３】
図６は、基板モジュール及び放熱孔の要部を示す模式的縦断面図である。基板モジュール２０３は、図示しない表示部の後側に配された回路基板３２を備えており、回路基板３２は、キャビネット２の後面部分に近接対向している。回路基板３２には画像処理ＩＣ、コンデンサ等の電子部品３３ａ，３３ｂが配設されており、各電子部品３３ａ，３３ｂは、電磁波漏れを防止すべく、接地された略直方体の遮蔽体２３４で覆われている。また、遮蔽体２３４は、電子部品３３ａ，３３ｂで発生した熱をキャビネット２の放熱孔２３，２４から外部へ放出すべく、電磁波漏れに影響を与えない大きさの放熱孔２３４ｃ，２３４ｄ，２３４ｅを有している。
一方、特許文献１には、漏れ電磁波が著しく、発熱が著しい電子部品を実装したプリント配線基板を電磁遮蔽する遮蔽体であって、絞り加工による凹部の周辺に複数の楕円孔を設けてなる遮蔽体が提案されている。
【特許文献１】特開平５−６３３８３号公報
【発明の開示】
【発明が解決しようとする課題】
【０００４】
ところで、従来の表示装置においては、キャビネットと電子部品との距離が十分確保されているため、キャビネットの外部で発生した静電気放電に係る静電パルスが放熱孔を通じて電子部品に到達し、静電破壊（ESD:electrostatic discharge）を引き起こすことはなかったが、表示装置を更に薄型化すべく、放熱ファンを廃し、表示部の後側に配された電子部品と、放熱孔とがより近接するように構成した場合であって、正面視でキャビネットの放熱孔と遮蔽体の放熱孔との位置が合致しているとき、キャビネット外で発生した静電気放電に係る静電パルスは遮蔽体に飛ばず、電子部品に到達し、電子部品の静電破壊を引き起こす。このため、遮蔽体の放熱孔を塞ぐ、あるいは小さくする必要が生じていた。
しかし、遮蔽体の放熱孔を塞ぎ又は小さくすると、自然対流による空気の流れが阻害され、放熱対策上好ましくない。
また、特許文献１には、放熱孔を備えた遮蔽体が開示されているが、回路基板を収容するキャビネットと放熱孔との位置関係については全く考慮されていないため、上述の問題を解決するには至らない。
【０００５】
本願発明者は、斯かる事情に鑑み、静電気放電の発生場所から所定範囲内に接地された金属片が位置している場合、静電パルスは必ずその金属片に落ちることに着眼し、遮蔽体の放熱孔と、キャビネットの放熱孔との位置関係を考慮して、静電破壊を防止しかつ効果的に放熱を行うことが可能な放熱孔の配置及び寸法を見出した。
【０００６】
本発明は、電子部品の静電破壊を防止し、かつ効果的に放熱を行うことができる表示装置を提供することを目的とする。
【課題を解決するための手段】
【０００７】
本発明に係る表示装置は、前側に表示面を有する表示部と、該表示部の後側に配された電子部品と、該電子部品を電磁遮蔽する遮蔽体と、前記表示部の後側を被覆するキャビネットとを備え、前記遮蔽体及び前記キャビネットは前記電子部品の一部が露出するように形成された複数の放熱孔を有する表示装置において、前記遮蔽体は、該遮蔽体に形成された隣り合う放熱孔間の境部が、前記キャビネットの放熱孔と前記電子部品との間に位置するように構成されていることを特徴とする。
【０００８】
本発明にあっては、表示部の後側に配された電子部品の一部はキャビネットに形成された放熱孔から露出しており、電子部品と放熱孔との間には、遮蔽体に形成された隣り合う放熱孔間の境部が位置している。このため、キャビネット外で発生した静電気放電に係る電流が放熱孔を通じてキャビネット内に侵入したとしても、該電流は遮蔽体を流れ、電子部品に到達することはない。また、境部がキャビネットの放熱孔と電子部品との間に位置している限りにおいては、遮蔽体の放熱孔を電磁波漏れが生じない範囲で大きく形成することができる。
従って、電子部品の静電破壊を防止、かつ効果的に電子部品で発生した熱を効果的に放熱することができる。
【０００９】
本発明に係る表示装置は、前記境部は、背面視で前記キャビネットの放熱孔の中央部に位置していることを特徴とする。
【００１０】
本発明にあっては、境部は背面視で放熱孔の中央部分に位置するように形成されている。静電気放電に係る電流を引き込むことができる範囲は前記境部を中心として球状であるため、前記境部が放熱孔の端に位置している場合に比べて、放熱孔を大きくすることができる。
【００１１】
本発明に係る表示装置は、前記キャビネットに形成された複数の放熱孔は並設されており、前記境部は線状をなし、背面視で各放熱孔の中央部に位置していることを特徴とする。
【００１２】
本発明にあっては、キャビネットに放熱孔が複数並設されており、線状をなす境部は、背面視で前記複数の放熱孔を横切るようにして各放熱孔の中央部に位置している。従って、前記複数の放熱孔から外部に露出している電気部品を一の境部で保護することができる。
【００１３】
本発明に係る表示装置は、前記キャビネットに形成された放熱孔と、前記境部との距離は２ｃｍ以内であることを特徴とする。
【００１４】
本発明にあっては、キャビネットに形成された放熱孔と、境部との距離は２ｃｍ以内である。従って、キャビネット外で発生した静電気放電に係る電流は必ず境部に流れる。
【発明の効果】
【００１５】
本発明によれば、遮蔽体に形成された隣り合う放熱孔の境部が、キャビネットの放熱孔と電子部品との間に位置するように構成することによって、電子部品の静電破壊を防止し、かつ効果的に放熱を行うことができる。
【発明を実施するための最良の形態】
【００１６】
以下、本発明をその実施の形態を示す図面に基づいて詳述する。
図１は、本発明に係る表示装置の実施の形態の構成を示す模式的縦断側面図である。表示装置は、映像を表示する表示面１１ａを前側に有する略直方体の表示部１と、表示部１の後側に配されており、映像表示に係る発熱性の各種電子部品を有する基板モジュール３と、表示部１の周縁部及び後側を被覆するキャビネット２とを備えている。
【００１７】
表示部１は、前側に表示面１１ａを有し略直方体をなす映像表示パネル１１と、映像表示パネル１１を後側から照明する直下型のバックライト部１２と、バックライト部１２及び映像表示パネル１１間に介装された光学シート１１ｂとを備えている。
映像表示パネル１１は、例えば透過型の液晶パネルである。バックライト部１２は、前側が開放された略直方体の箱形をなすバックライトシャーシ１２ｂと、バックライトシャーシ１２ｂ内において上下に離隔して並設された複数本のランプ１２ａとを有する。
バックライトシャーシ１２ｂは、正面視が液晶パネルと略同形であり、金属板を成形してなるシャーシ枠部１２ｃと、シャーシ枠部１２ｃの後側端を閉塞し、金属板を成形してなるシャーシ蓋板部１２ｄとを有している。
ランプ１２ａは、例えば、直管型の冷陰極蛍光管であり、長手方向が横方向になるように並設されている。冷陰極蛍光管の両端部の電極には図示しないインバータ回路基板が接続され、パルス幅変調によってランプ１２ａの明るさが制御されるように構成されている。
光学シート１１ｂは、拡散板、プリズムシート等のシートを積層してなり、バックライト部１２からの光を拡散及び均一化し、明るさムラのない光を映像表示パネル１１に照射する。
【００１８】
キャビネット２は、表示部１の周縁部を被覆するキャビネット枠部２０ａと、該キャビネット枠部２０ａの後端に連なり、表示部１の後側を被覆するキャビネット蓋板部２０ｂとを有する深皿形をなしている。また、キャビネット２は、キャビネット蓋板部２０ｂの上側、下側及び基板モジュール３に対応する中央部分に、バックライト部１２及び基板モジュール３で発生した熱を外部に放熱するための放熱孔２１，２２，２３，２４，２５を有している。放熱孔２１，…，２５は、縦長の長孔状をなし、複数の放熱孔２１，…，２５が横方向に並設されている（図３参照）。なお、放熱孔２１，…，２５の数、形状、配置は一例であり、基板モジュール３及びバックライト部１２を十分に冷却可能であれば、孔数、形状及び配置方法は問わない。なお、本実施の形態に係る表示装置は、前後方向の寸法を薄型化すべく、放熱ファンを廃し、自然対流によって放熱する方式を採用している。
【００１９】
図２は、基板モジュール３及び放熱孔２３，２４の要部を示す模式的縦断面図、図３は、放熱孔２３，２４を示す模式的背面図、図４は、キャビネット２を取り外した状態における基板モジュール３の要部を示す模式的背面図である。
【００２０】
基板モジュール３は、回路基板３２を支持する矩形皿状の回路支持板３１を備えている。回路支持板３１は、金属製であり、その周縁部の複数箇所がビス等の雄螺子でシャーシ蓋板部１２ｄに取り付けられている。回路基板３２の後側の実装面には、高発熱性の電子部品３３ａと、低発熱性の電子部品３３ｂとが上部及び下部に夫々配設されている。電子部品３３ａは、例えば表示部１による映像表示を制御する映像処理ＩＣであり、電子部品３３ｂはコンデンサ、ダイオード等である。
【００２１】
回路基板３２の上面には、電子部品３３ａ，３３ｂを覆い、該電子部品３３ａ，３３ｂからの電磁波を遮蔽する遮蔽体３４が取り付けられている。
【００２２】
図５は、遮蔽体３４の構成を模式的に示す斜視図である。遮蔽体３４は、略直方体をなしており、各電子部品３３ａ，３３ｂを囲繞する側板部３４ａと、該側板部３４ａ壁の後側先端に形成された後板部３４ｂとを備え、その一部が回路支持板３１又はバックライトシャーシ１２ｂ等に電気的に接続されている。後板部３４ｂには、横長矩形の３つの遮蔽体放熱孔３４ｃ，３４ｄ，３４ｅが上下方向に並設されている。
遮蔽体放熱孔３４ｃ，３４ｄ，３４ｅの寸法は、回路基板３２からの不要輻射の周波数及びレベルによって制限される。一般的に遮蔽体３４の孔の大きさを対象とする不要輻射の周波数の１／２波長以下にすることによって該不要輻射の輻射量を抑えることができる。不要輻射の波長は
ｌ＝ｖ／ｆ／２  （但し、ｌ：輻射の半波長（ｍ）、ｖ：光速３×１０8 （ｍ／ｓ）、ｆ：周波数（Ｈｚ））  
で表せる。
つまり、遮蔽体放熱孔３４ｃ，３４ｄ，３４ｅの大きさが１／２波長以上である場合、不要輻射の輻射量は減少せず、遮蔽体放熱孔３４ｃ，３４ｄ，３４ｅの大きさが波長の１／２波長未満である場合、遮蔽体放熱孔３４ｃ，３４ｄ，３４ｅの径に応じて輻射量は減少する。
例えば、２ＧＨｚの輻射について考えると１／２波長は３．３ｃｍであるので、遮蔽体放熱孔３４ｃ，３４ｄ，３４ｅの大きさが３．３ｃｍ未満である場合、輻射量を抑えることができる。例えば、縦、横方向とも３．３ｃｍより小さな略矩形の遮蔽体放熱孔３４ｃ，３４ｄ，３４ｅとすれば、縦、横方向ともに輻射を抑えることができる。縦方向のみ３．３ｃｍより小さな略矩形の遮蔽体放熱孔３４ｃ，３４ｄ，３４ｅとすれは、縦方向のみ輻射を抑えることができる。
本発明の遮蔽体３４の孔寸法も、基本的には不要輻射の周波数、レベル及び方向に応じて決定される。
本実施例において、隣り合う遮蔽体放熱孔３４ｄ，３４ｅの境部３４ｇは横長矩形の線状をなし、図２中破線の円で示すように、放熱孔２４の縁部と境部３４ｇとの距離が２ｃｍ以内であって、背面視で境部３４ｇは放熱孔２４の上下方向略中央部に位置するように形成されている。
【００２３】
静電気放電に係る静電パルスは、その発生場所から２ｃｍ以内にグランド接地された金属片が位置している場合、該金属片に落ちることが知られている。従って、図２中、破線の円で示すように、放熱孔２４の周縁部から２ｃｍ以内に境部３４ｇが位置するように形成すれば、電子部品３３ｂの静電破壊を防ぐことができる。
なお、静電パルスは、その発生場所からより近い位置にある金属片に落ちるため、前記周縁部と境部３４ｇとの距離が、放熱孔２４の周縁部と電子部品３３ｂとの距離よりも短くなるように構成しても良い。
【００２４】
同様に、隣り合う遮蔽体放熱孔３４ｃ，３４ｄの境部３４ｆは横長矩形の線状をなし、放熱孔２３の縁部と境部３４ｆとの距離は２ｃｍ以内であって、背面視が境部３４ｆは放熱孔２３の上下方向略中央部に位置するように形成されている。
【００２５】
以上のように構成された表示装置にあっては、キャビネット２外部で発生した静電気放電に係る静電パルスが放熱孔２３，２４からキャビネット２内に侵入した場合であっても、該静電パルスは必ず境部３４ｆ，３４ｇに流れる。また、放熱孔２３，２４と境部３４ｆ、３４ｇが上述の位置関係にある限り、遮蔽体放熱孔３４ｃ，３４ｄ，３４ｅを電磁波漏れが生じない範囲で最大限まで大きく形成することができる。従って、電子部品３３ａ，３３ｂの静電破壊を防止し、かつ効果的に放熱を行うことができる。
【００２６】
また、境部３４ｆ，３４ｇは、正面視で夫々放熱孔２３，２４の上下方向略中央部に位置しているため、放熱孔２３，２４の縁部に位置する場合に比べて、静電破壊を防止可能な放熱孔２３，２４をより大きく形成することができる。
【００２７】
線状の境部３４ｆは複数の放熱孔２３を横切るように各放熱孔２３の略中央部を横切るように配されているため、複数の放熱孔２３に対する静電対策を一の境部３４ｆで行うことができる。他の境部３４ｇについても同様である。
【００２８】
なお、実施の形態では液晶パネルを備えた表示装置を一例として説明したが、プラズマ表示装置、ＳＥＤ（Surface-conduction Electron-emitter Display）、ＥＬ（Electronic Luminescence）ディスプレイ等、薄型化に伴う静電対策を要する他の表示装置に本発明を適用しても良い。
【００２９】
また、遮蔽体放熱孔及び境部の形状は、一例であり、境部がキャビネットの放熱孔と、電子部品との間に位置し、かつ遮蔽体放熱孔の大きさが電磁波漏れが生じない範囲内であれば、他の形状を採用しても良い。
【００３０】
更に、遮蔽体放熱孔を略矩形に形成してあるが、遮蔽体放熱孔の寸法が不要輻射の半波長未満であれば、その形状及び大きさは問わない。
【００３１】
また、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【００３２】
【図１】本発明に係る表示装置の実施の形態の構成を示す模式的縦断側面図である。
【図２】基板モジュール及び放熱孔の要部を示す模式的縦断面図である。
【図３】放熱孔を示す模式的背面図である。
【図４】キャビネットを取り外した状態における基板モジュールの要部を示す模式的背面図である。
【図５】遮蔽体の構成を模式的に示す斜視図である。
【図６】基板モジュール及び放熱孔の要部を示す模式的縦断面図である。
【符号の説明】
【００３３】
１  表示部
２  キャビネット
３  基板モジュール
１１  映像表示パネル
１１ａ  表示面
１２  バックライト部
３２  回路基板
３３ａ，３３ｂ  電子部品
３４  遮蔽体
３４ｃ，３４ｄ，３４ｅ  遮蔽体放熱孔
３４ｆ，３４ｇ  境部
【図１】
2009008862.tif 000003
【図２】
2009008862.tif 000004
【図３】
2009008862.tif 000005
【図４】
2009008862.tif 000006
【図５】
2009008862.tif 000007
【図６】
2009008862.tif 000008